(57)【要約】【課題】  床レベルを容易に再調整でき、長年の使用にも拘わらず痩せたりすることがなく、また湿気等によって腐食が起こるのを防止することもでき、耐久性に優れる。【解決手段】  根太部本体１１と、根太部本体１１の高さを調整する調整部１３と、該調整部１３に装着された受け座部材とを主構成要素として構成される。根太部本体１１は、合成木材によって形成され、側面には、緩衝部材１２が配設されている。調整部１３は、根太部本体１１の底部に取り付けられたナット部材１４と、そのナット部材１４に対して上下方向に沿う軸線回りに回転可能に螺着されたボルト部材とを有している。【選択図】  図１
2005299308.tif 000002
【特許請求の範囲】
【請求項１】
合成木材からなる長尺状の根太部本体と、該根太部本体の高さを調節する調節部と、調節部に装着されてスラブ面に着座される受け座部材とを備え、
前記調節部は、前記根太部本体に所定間隔を隔てて取り付けられたナット部材と、該ナット部材に対し上下方向に沿う軸線回りに回転可能に螺着されると共に、前記受け座部材を軸線回りに回転可能に装着したボルト部材とからなり、
前記ナット部材と前記ボルト部材と前記受け部材間に接着剤を注入したとき、該接着剤によって前記受け部材をスラブ上面に固定する床構造構築用支持ユニットであって、
前記ボルト部材は、前記接着剤の注入爾後、前記ナット部材及び前記受け部材に対し軸線回りに回転可能とされていることを特徴とする床構造構築用支持ユニット。
【請求項２】
請求項１記載の床構造構築用支持ユニットにおいて、
前記ボルト部材及び前記ナット部材は、前記接着剤がウレタン系接着剤からなるとき、ナイロン系の合成樹脂で形成されることを特徴とする床構造構築用支持ユニット。
【請求項３】
請求項１又は２記載の床構造構築用支持ユニットにおいて、
前記根太部本体に、前記接着剤を注入する貫通孔が設けられると共に、前記ナット部材及び前記ボルト部材並びに前記受け座部材に、前記貫通孔と互いに連絡する貫通孔が設けられ、前記受け座部材の底面に、該受け座部材の貫通孔と連絡する接着剤流通溝が設けられていることを特徴とする床構造構築用支持ユニット。  
【発明の詳細な説明】
【技術分野】
【０００１】
この発明は、床構造構築用支持ユニットに係り、特に、建築物の二重床を構築する際に用いるのに好適な技術に関する。
【背景技術】
【０００２】
建築物にあっては、床板材が床構造建築用支持ユニットによってスラブ上面に一定の高さで支持される構成とされ、そのスラブ上面とその上に設けられた床板材との間の空間が、電気用や通信用の配線を通すための空間、或いは冷暖房用の空間、更には給排水管やガス管を配管するための空間などとして利用されるようになっている。
このような二重床を構築する床構造建築用支持ユニットとして、スラブに設置された際、床面レベルに合わせるために、支持支柱の高さを調整し、レベル調整用ナットの上部の接着剤溜まり部から接着剤を流し込むことにより、支持支柱と接床基台とが接着剤によってスラブ上に固定される技術が提案されている（例えば、特許文献１参照。）。
【特許文献１】特開平１１−９３３８３号公報（第４−５頁、図１−図６）
【発明の開示】
【発明が解決しようとする課題】
【０００３】
ところで、従来技術においては、接着剤によって支持支柱と接床基台とがスラブに固定されるが、その後、床レベルを再調整することができないという問題があった。
特に、建築現場にあっては、隣接する床レベルを厳密なものとせず、床レベルに大まかに一旦合わせた後、最終的に全ての床レベルを揃えることがある。また、現場での造作部材との兼ね合いから、即ち、出入口の敷居や框等の高さとの関係上から床レベルに合わせて微調整を行う場合があり、そのような場合、敷居や框の工事が根太取付より先に行うか後に行うかに影響され、特に先に根太工事を行ったとき、敷居高さと関係で床レベルを再度上下方向に調整する必要が生じる。
また、上記床構造構築用支持ユニットは壁（又は間仕切り）に沿って際根太が設けられ、その上に床パネルを支持するようにしており、壁（又は間仕切り）際に設けられる際根太について配慮されていない。つまり、際根太に木材が用いられた場合、長年使用されることで際根太が痩せてしまい、それに伴って床鳴りが発生するばかりでなく、湿気の影響を受けて反り・曲がり・ねじれを生じ、腐食するので、床が沈み込み、耐久性に乏しい問題があった。
【０００４】
この発明は、このような事情を考慮してなされたもので、床レベルを容易に再調整することができ、しかも長年の使用にも拘わらず痩せたりすることがなく、また湿気等によって腐食が起こるのを防止することもでき、耐久性に優れた床構造建築用支持ユニットを提供することを目的とする。
【課題を解決するための手段】
【０００５】
上記目的を達成するために、この発明は以下の手段を提案している。
請求項１に係る発明は、合成木材からなる長尺状の根太部本体と、該根太部本体の高さを調節する調節部と、調節部に装着されてスラブ面に着座される受け座部材とを備え、前記調節部は、前記根太部本体に所定間隔を隔てて取り付けられたナット部材と、該ナット部材に対し上下方向に沿う軸線回りに回転可能に螺着されると共に、前記受け座部材を軸線回りに回転可能に装着したボルト部材とからなり、前記ナット部材と前記ボルト部材と前記受け部材間に接着剤を注入したとき、該接着剤によって前記受け部材をスラブ上面に固定する床構造構築用支持ユニットであって、前記ボルト部材は、前記接着剤の注入爾後、前記ナット部材及び前記受け部材に対し軸線回りに回転可能とされていることを特徴とする。
これにより、スラブ上面に接着剤によって受け座部材を固定した後でも、ボルト部材を回転してナット部材を上下に移動でき、根太部本体の高さを変えることができるので、床面レベルを容易に再調整することができる。また、根太部本体が長年使用されても痩せることがなく、その痩せに伴う床鳴りが発生するのを防止できるばかりでなく、湿気などによって根太部本体に反り・曲がり・ねじれが発生するのを防ぎ、根太部本体が腐食するのを防止できる。
請求項２に係る発明は、請求項１記載の床構造構築用支持ユニットにおいて、前記ボルト部材及び前記ナット部材は、前記接着剤がウレタン系接着剤からなるとき、ナイロン系の合成樹脂で形成されることを特徴とする。
これにより、ボルト部材及びナット部材は、接着剤がウレタン系接着剤のときに、ナイロン系合成樹脂であるので、受け部材が接着剤によりスラブ上面に接着された後においても、ボルト部材と受け部材とが接着し難いため、ボルト部材が受け部材に対して回動可能とされており、ボルト部材が受け部材に対して回動することにより、受け部材がスラブ上面に固定された後においても、根太部の高さ方向の調整を行うことができる。
請求項３に係る発明は、請求項１又は２記載の床構造構築用支持ユニットにおいて、前記根太部本体に、前記接着剤を注入する貫通孔が貫通して設けられると共に、前記ナット部材及び前記ボルト部材並びに前記受け座部材に、前記貫通孔と互いに連絡する貫通孔が設けられ、前記受け座部材の底面に、該受け座部材の貫通孔と連絡する接着剤流通溝が設けられていることを特徴とする。
これにより、根太部本体の孔から接着剤を注入すると、その接着剤が根太部本体、ナット部材、ボルト部材を経て受け座部材内に流れ込み、受け座部材の底面からスラブ上面に伝い落ちると共に、接着剤流通溝に流れ込むので、接着剤が硬化した時点で、受け座部材が接着剤によってスラブに固定される。
【発明の効果】
【０００６】
請求項１に係る発明によれば、接着剤によって受け座部材を固定した後でも、ボルト部材を回転してナット部材上下に移動し、根太部本体の高さを変えることができるように構成したので、床レベルを容易に再調整することができ、しもか長年の使用にも拘わらず痩せたりすることがなく、また湿気等によって腐食が起こるのを防止することもできる効果が得られる。
【０００７】
請求項２に係る発明によれば、接着剤が注入されかつ硬化しても、ボルト部材がナット部材及び受け座部材に対して確実に回転できるので、根太部本体の高さ方向の位置を容易に変えることができる効果が得られる。
【０００８】
請求項３に係る発明によれば、接着剤が受け座部材の底面からスラブ上面に伝い落ち、接着剤流通溝に流れ込むので、スラブ上面に対する受け座部材の固定を簡単に行える効果がある。
【発明を実施するための最良の形態】
【０００９】
以下、図面を参照し、この発明の実施の形態について説明する。図１〜図７はこの発明の一実施の形態に係る床構造構築用支持ユニットを示す図である。
図１及び図２に示す床構造建築用支持ユニット１０は、壁（又は間仕切り）際のスラブ上面に設置されたとき、その上面に床パネルを支持することで、スラブ上面と床パネルとの間に所望の空間を形成する二重床構造を構築できるようになっており、根太部本体１１と、根太部本体１１の高さを調整する調整部１３と、該調整部１３に装着された受け座部材１６とを主構成要素として構成されている。
【００１０】
根太部本体１１は、合成木材（若しくは人工木材とも称される）によって形成されており、例えば略方形をなして適宜の長さからなる長尺状に形成されている。合成木材には、例えば、ＰＳ，ＡＢＳ，ＰＶＣ，ＰＰ，ＰＥの低発泡押出成形材や、それらのＦＲＰが利用される。好適には再生ＰＳの低発泡押出成形材である。
この根太部材本体１１の側面には、緩衝部材１２が配設されている。この緩衝部材１２は、図１では一個しか図示されていないが、根太部本体１１の長さ方向に沿い適宜の間隔を隔てて配設されている。緩衝部材１２は、例えばスポンジのような海綿状のもの、或いは防振ゴムなどのような制振特性を有するものからなっている。
【００１１】
調整部１３は、根太部本体１１の底部に取り付けられたナット部材１４と、そのナット部材１４に対して上下方向に沿う軸線回りに回転可能に螺着されたボルト部材１５とを有している。
ナット部材１４は、軸方向に適宜の長さを有する筒状をなしており、図３に示すように、その貫通孔１４ａに雌ネジ１４ｂが軸方向に沿って設けられ、またその上部外周部に側方に突出する取付部１４ｃが設けられている。このナット部材１４において取付部１４ｃより上方にはナット部材１４の一部が突出する突出部１４ｄとされている。
【００１２】
そして、突出部１４ｄが根太部本体１１に設けられた貫通孔１１ａに挿入されて取付部１４ｃの上面が根太部本体１１の底部に当接されたとき、ネジ１７を取付部１４ｃから通して根太部本体１１に締め付けることで、根太部本体１１にナット部材１４が固定される。図３において、符号１４ｅはネジ１７が通るねじ挿通孔である。
なお、貫通孔１１ａは、後述する接着剤２０を注入するためと、ボルト部材１５を回転操作するための回転工具を挿入するためのものであり、図１及び図２に示すように、根太部本体１１においてナット部材１４と対応する箇所に上下方向に貫通形成されている。
【００１３】
ボルト部材１５は、図４（ａ）及び（ｂ）に示すように、軸方向に設けられた貫通孔１５ａを有する筒状に形成されており、その外周に雄ネジ１５ｂが軸方向に沿って設けられ、この雄ネジ１５ｂがナット部１４の雌ネジ１４ｂと螺合することでナット部材１４に対して上下方向に移動する。このボルト部材１５の下部には、図４（ｂ）に示すように、若干縮径された頸部１５ｃを介し、大径に形成された係合座部１５ｄが設けられている。
また、ボルト部材１５の貫通孔１５ａには、図４（ａ）に示すように、ボルト部材１５を回転操作するための回転工具２１（図８参照）が挿入されたとき、その回転工具２１と係合するための係合突起１８が突設されている。
【００１４】
受け座部材１６は、制振特性を有する合成樹脂製のゴム材によって形成されており、図５（ａ）に示すように、座１６ａの上部にこれより小径をなす環状壁１６ｂが立設されると共に、その環状壁１６ｂの先端に挿入孔１６ｃを有する引き掛け部１６ｄが設けられている。そして、環状壁１６ｂ内に挿入孔１６ｃよりボルト部材１５の係合座部１５ｄが挿入されることで、受け座部材１６が係合座部１５ｄを中心として垂直軸回りに回転自在に取り付けられている。
また、座１６ａには、その中央部にナット部材１４及びボルト部材１５の貫通孔１４ａ、１５ａと連絡する貫通孔１６ｅが設けられると共に、その底面には貫通孔１６ｅと連絡する接着剤流通溝１６ｆが設けられている。接着剤流通溝１６ｆは、図５（ｂ）に示すように、座１６ａの底面において、貫通孔１６ｅを中心として放射状に複数設けられている。なお、ボルト部材１５の貫通孔１５ａは、係合座部１５の部分で縮径されており、受け座部材１６の貫通孔１６は、貫通孔１５ａの縮径された大きさと同程度の大きさに形成されている。
【００１５】
この床構造構築用支持ユニット１０は、図６に示すように、根太部本体１１の貫通孔１１ａから注入工具１９によって接着剤２０を注入したとき、その接着剤２０が貫通孔１１ａからナット部材１４とボルト部材１５とからなる調整部１３と、受け座部材１６とを経て受け座部材１６の座１６ａの底面に導かれることで、受け座部材１６をスラブ上面Ａに固定する一方、その接着剤２０の接着に拘わらず、ボルト部材１５が受け座部材１６に対して回転することで根太部本体の高さ方向を調整できるようになっている。
【００１６】
すなわち、受け部材１６が接着剤２０によりスラブ上面Ａに固定された後においても、ボルト部材１５は、ナイロンにより構成されているため、ウレタン系の接着２０が接着し難く、受け部材１６に対して回転可能とされているため、ボルト部材１５が受け部材１６に対して回転することにより、根太部本体の高さ方向の調整を確実に行うことができる。
本例では、接着剤２０がウレタン系接着剤とされ、ボルト部材１５は、ナイロンにより構成されているが、これに限られず、ボルト部材１５の材質としては、例えば、ＰＡ，ＰＰ，ＰＥ，ＰＢＴ，ＰＥＴ，ＰＯＭなどから選択され、ＰＡ（ナイロン）が好適である。
この場合、接着剤２０は、ウレタン系，エポキシ系，シリコン系等から選択され、粘度は、ウレタン系の場合、５０００mpas/25℃となり、冬場でも固くならずに適当であった。
根太部本体１１は、ウレタン系接着剤２０が貫通孔１１ａから注入されたとき、その接着剤２０によって根太部本体１１の特性が変化しない材質で構成されているのは勿論である。
【００１７】
この実施形態の床構造構築用支持ユニット１０は、上記のように構成されるので、次にその取り扱いについて以下に説明する。
まず、施工に際しては、まず、床構造構築用支持ユニット１０を図１及び図２に示すように組み付けておく。つまり、根太部本体１１にナット部材１４とボルト部材１５とからなる調整部１３を取り付けておき、そのボルト部材１５の下部に受け座部材１６を装着しておく。この場合、床構造構築用支持ユニット１０は、予め、図６に示すように根太部本体１１の上面が調整部１３によって床レベルＬの位置に略合わせた高さに調整しておく。
そして、このように組み付けられた床構造構築用支持ユニット１０を、図６に示すように、スラブ上面Ａにおいて、壁（又は間仕切り）Ｂの近傍位置にその壁Ｂに沿わせるようにして配置する。
【００１８】
このようにしてスラブ上面Ａに床構造構築用ユニット１０を配置した後、床構造構築用支持ユニット１０において、根太部本体１１の貫通孔１１ａを利用して接着剤２０を注入すると、その接着剤２０が貫通孔１１ａから根太部本体１１と、ナット部材１４の貫通孔１４ａとボルト部材１５の貫通孔１５ａとを経ることで、図７に示すように受け座部材１６内に流れ込み、受け座部材１６内で貫通孔１６ｅからスラブ上面Ａに伝い落ちると共に、受け座部材１６の底面に設けられた接着剤流通溝１６ｆに流れ込むので、接着剤２０が硬化すると、受け座部材１６が接着剤２０によってスラブに固定されることとなる。
【００１９】
スラブに床構造構築用支持ユニット１０が固定された後、その根太部本体１１上に床パネルを敷設することとなるが、その際、床レベルＬを調整する必要が生じることがある。即ち、建築現場にあっては、隣接する床レベルＬを厳密なものとせず、大まかにラフに一旦合わせた後、最終的に全ての根太レベルを揃えることがあり、また、現場での造作部材との兼ね合いから、先に根太工事を行った場合、敷居高さと関係で床レベルＬを再度上下方向に調整する必要が生じることがある。
【００２０】
このような場合には、図８に示すように、根太部本体１１の貫通孔１１ａに回転工具２１を入れ、回転工具２１の先端をナット部材１４の貫通孔１４ａを経てボルト部材１５の貫通孔１５ａに挿入することで、図７に鎖線にて示すように、ボルト部材１５の係合突起１８に引き掛ける。
この際、接着剤２０の粘度は、ウレタン系の場合、５０００mpas/25℃とされているので、接着剤２０は、係合突起１８に接着剤２０が絡んだ状態とならずに充填硬化するため、回転工具２１の先端を良好に係合部材１８に引っ掛けることができ、ボルト部材１５を容易且つ確実に回転させることができる。
【００２１】
次いで、その引き掛けた状態で回転工具２１をハンドル２２によって回転操作すると、
受け部材１６とボルト部材１５とが接着剤２０によって互いに接着されない材質からなっていると共に、受け座部材１６が接着剤２０によってスラブ上面Ａに固定されていることから、ボルト部材１５が受け部材１６上で垂直軸回りに回転すると同時に、ナット部材１４に対して垂直軸回りに回転され、つまり、ナット部材１４及び受け部材１６に対して回転できるので、ナット部材１４が図７に示す矢印Ｚのように上下方向に移動することができ、これにより根太部本体１１の高さを調整することができる。
【００２２】
従って、この床構造構築用支持ユニット１０によれば、スラブ上面Ａに接着剤２０によって受け座部材１６を固定した後でも、ボルト部材１５を回転してナット部材１４を上下に移動できるので、従来技術と異なり、根太部本体１１の高さを容易に変えることができ、床面レベルを容易に再調整することができる。
【００２３】
また、根太部本体１１は、合成木材からなっているので、長年使用されても痩せることがなく、その痩せに伴う床鳴りが発生するのを防止することができるばかりでなく、湿気などによって根太部本体１１に反り・曲がり・ねじれが発生するのを防ぎ、根太部本体が腐食するのを防止できるので、それだけ耐久性を得て信頼性を高めることができる。しかも、ナット部材１４及びボルト部材１５が接着剤２０によって接着できない合成樹脂で形成されているので、これらも湿気などで錆びや腐食が発生することがない。
従って、この床構造構築用支持ユニット１０によれば、十分な強度及び剛性が得られるので、大きな負荷に対しても良好な機能を果たすことができる。
【００２４】
更に、根太部本体１１の貫通孔１１ａから回転工具２１を挿入することで、回転工具２１をボルト部材１５の係合突起１８に引き掛けることができるので、ボルト部材１５の回転操作を根太部本体１１の外部から容易に行うことができる。
しかも、壁Ｂに緩衝部材１２を当接させた状態でスラブ上面Ａに床構造構築用支持ユニット１０を設置すると、根太部本体１１と壁Ｂとが、緩衝部材１２により互いに離間させられることとなり、床パネルに生じた振動や音が根太部本体１１を介して壁Ｂに伝達することを防止することができる。
なお、図示実施形態においては、ウレタン系の接着剤２０を用い、また調整部１３のナット部材１４とボルト部材１５とがナイロンで形成された例を示したが、それ以外の接着剤を用いてもよく、従って、本発明において、要は、受け座部材をスラブに固定できる一方、ナット部材に対してボルト部材を回転できるように構成すれば良い。
【図面の簡単な説明】
【００２５】
【図１】この発明の一実施の形態に係る床構造構築用支持ユニットを示す斜視図である。
【図２】同じく床構造用建築用支持ユニットを示す正面図である。
【図３】調整部１３のナット部材を示す図であって、（ａ）は平面図、（ｂ）は側面図である。
【図４】調整部１３のボルト部材を示す図であって、（ａ）は平面図、（ｂ）は正面図である。
【図５】受け座部材を示す図であって、（ａ）は縦断面図、（ｂ）は底面図である。
【図６】床構造構築用支持ユニットをスラブに配置して、接着剤２０を注入している状態を示す説明図である。
【図７】接着剤により受け座部材がスラブに固定された状態を示す説明図である。
【図８】床構造構築用支持ユニットの高さを再調整している状態を示す説明図である。
【符号の説明】
【００２６】
１０    床構造構築用支持ユニット
１１    根太部本体
１２    緩衝部材
１３    調整部
１４    ナット部材
１５    ボルト部材
１６    受け座部材
１６ｆ    接着剤流通溝
１８    係合突起
２０    接着剤
２１    回転工具
１１ａ、１４ａ、１５ａ、１６ｅ    貫通孔
【図１】
2005299308.tif 000003
【図２】
2005299308.tif 000004
【図３】
2005299308.tif 000005
【図４】
2005299308.tif 000006
【図５】
2005299308.tif 000007
【図６】
2005299308.tif 000008
【図７】
2005299308.tif 000009
【図８】
2005299308.tif 000010